(57)【要約】【課題】電気掃除機において、二次電池が放電した後においても、この二次電池の充電のために、商用電源の設置場所まで運ぶ手間をかける必要がないものとする。【解決手段】掃除機本体１０の本体ケース１１の外表面に太陽電池２１を設けるとともに、太陽電池２１によって光電変換して得られた電気を二次電池１４に充電する第一充電回路２２を掃除機本体１０の内部に備える。【選択図】　　　　　図１
2004081552.tif 000002
【特許請求の範囲】
【請求項１】
二次電池から供給される電力によって駆動される電動送風機と該電動送風機の駆動によって生じた空気流とともに吸引された塵埃を溜める集塵容器とを少なくとも備えた電気掃除機において、
太陽電池と、前記太陽電池によって発電された電力を前記二次電池に充電する第一充電回路とを備えたことを特徴とする電気掃除機。
【請求項２】
商用電源に接続されて該商用電源から供給される電力を前記二次電池に充電する第二充電回路と、前記第一充電回路および第二充電回路のうち一方を、前記二次電池の充電回路として選択するように切り換える回路切換手段とをさらに備え、
前記第二充電回路のうち少なくとも前記商用電源に接続される電源接続部が、前記本体とは別体の充電台として形成され、
前記回路切換手段は、前記本体が前記充電台の載置部に載置された状態において前記第二充電回路を選択し、前記本体ケースが前記載置部から外れた状態において前記第一充電回路を選択するように、前記第一充電回路および第二充電回路を切り換えることを特徴とする請求項１に記載の電気掃除機。
【請求項３】
内部に電動ブラシと、該電動ブラシに電力を供給する二次電池とを備え、掃除機本体に接続される電気掃除機用吸込口体であって、
太陽電池と、前記太陽電池によって発電された電力を前記二次電池に充電する充電回路とを備えたことを特徴とする電気掃除機用吸込口体。
【発明の詳細な説明】
【０００１】
【発明の属する技術分野】
本発明は電気掃除機及び電気掃除機用吸込口体に関し、詳細には充電可能の二次電池を備えた電気掃除機および吸込口体の改良に関する。
【０００２】
【従来の技術】
近年、充電式の二次電池を電力供給源として備えた電気掃除機が実用化されており、このような充電式の電気掃除機は、使用時に商用電源に接続しておく必要がないため、商用電源が設置されていない場所や商用電源から離れた場所においても特段の電源設備を用いることなく使用することができ、利便性の高いものとなっている。
【０００３】
また、商用電源が近くに設置されている場合にも、商用電源と掃除機とを電源コード等で接続する必要がないため、電源コードの長さや取回しに気を遣うことなく使用することができる点においても、利便性が高いものとなっている。
【０００４】
【発明が解決しようとする課題】
上述した充電式の電気掃除機は使い勝手の面で有用性が高いものの、二次電池の特質上、無期限に使用できるものではなく、電動送風機等への電力供給によって放電が行われて蓄積エネルギが低下した後は、他の電力供給装置に接続して充電し、蓄積エネルギを回復させる必要がある。
【０００５】
しかるに、従来の充電式電気掃除機では、一旦放電した二次電池を商用電源に接続して充電し、蓄積エネルギの回復を図っていた。
【０００６】
したがって、商用電源が設置されていない場所や商用電源から離れた場所で放電した場合は、商用電源の設置場所まで、掃除機本体あるいは本体から二次電池のみを脱着して運び、商用電源に直接接続し、あるいは充電台等を介して商用電源に接続する必要があった。
【０００７】
そして、このように放電の都度、商用電源の設置場所まで掃除機本体等を運ぶのは手間がかかる、という問題があった。
【０００８】
本発明は上記事情に鑑みなされたものであり、二次電池が放電した後においても、この二次電池の充電のために、商用電源の設置場所まで運ぶ手間をかける必要がない電気掃除機を提供することを目的とする。
【０００９】
また、二次電池が電動送風機駆動用の電力を供給するものではなく、吸込口体に備えられた電動ブラシを駆動するための電力を供給するものとして、電気掃除機用吸込口体自体に備えられている場合もあり、このような二次電池についても、上述した電気掃除機と同様の問題が生じ得る。
【００１０】
本発明の他の目的は、このような二次電池を備えた電気掃除機用吸込口体において、二次電池が放電した後においても、この二次電池の充電のために、商用電源の設置場所まで運ぶ手間をかける必要がない電気掃除機用吸込口体を提供することを目的とする。
【００１１】
【課題を解決するための手段】
上記課題を解決するため、本発明に係る電気掃除機は、二次電池から供給される電力によって駆動される電動送風機と該電動送風機の駆動によって生じた空気流とともに吸引された塵埃を溜める集塵容器とを少なくとも備えた電気掃除機において、太陽電池と、前記太陽電池によって発電された電力を前記二次電池に充電する第一充電回路とを備えたことを特徴とする。
【００１２】
ここで、太陽電池は、太陽の光エネルギを吸収して電気エネルギに変換する半導体等の光電変換素子であり、太陽電池自体は電気エネルギを蓄える機能を有している必要はない。
【００１３】
また、二次電池は電気掃除機の本体に備えられていてもよいし、吸込口体に備えられていてもよい。
【００１４】
また、本発明に係る電気掃除機用吸込口体は、内部に電動ブラシと、該電動ブラシに電力を供給する二次電池とを備え、掃除機本体に接続される電気掃除機用吸込口体であって、太陽電池と、前記太陽電池によって発電された電力を前記二次電池に充電する充電回路とを備えたことを特徴とする。
【００１５】
なお、電動ブラシは少なくとも、回転や往復動可能なブラシと、このブラシを回転や往復動させるモータ等の電気駆動手段とを備えた塵埃掃出機構である。
【００１６】
【発明の実施の形態】
以下、本発明に係る電気掃除機および本発明に係る電気掃除機用吸込口体についての具体的な実施の形態について、図面を用いて説明する。
（実施形態１）
図１は、本発明の一実施形態に係る電気掃除機１００の全体を示す斜視図である。
【００１７】
この電気掃除機１００は、掃除機本体１０に集塵ホース５１および集塵管５２が接続されたものであり、集塵管５２の先端には吸込口体６０が連結されている。
【００１８】
また、集塵管５２の、集塵ホース５１との連結側端部近くには、この電気掃除機をＯＮ／ＯＦＦし、また集塵力の強弱を切り換える手元スイッチ５３が設けられている。
【００１９】
掃除機本体１０の本体ケース１１の外表面には、太陽電池２１が配設されている。
【００２０】
またこの本体ケース１１の内部には、集塵用の気流を形成するために負圧を発生する電動送風機１３と、この電動送風機１３が発生した負圧によって、吸込口体６０、集塵管５２および集塵ホース５１を通じて、空気とともに本体１０内部に吸引された塵埃を捕集する集塵容器１２と、電動送風機１３を駆動するための電力を供給する二次電池（蓄電池）１４と、太陽電池２１によって光電変換して得られた電気を二次電池１４に充電する第一充電回路２２とが備えられている。
【００２１】
ここで、二次電池１４は蓄電機能を有するものであれば如何なる種類のものであってもよく、例えばニッケル水素電池やリチウムイオン電池等を適用することができる。
【００２２】
図２は、図１に示した電気掃除機１００における二次電池１４、電動送風機１３、太陽電池２１、手元スイッチ５３および第一充電回路２２からなる電気回路を示す図である。
【００２３】
なお、図２において、太陽電池２１は第一充電回路２２に含まれるように示されているが、これは図示の簡単化のための便宜によるものにすぎず、第一充電回路２２自体には太陽電池２１を含まないものとする。
【００２４】
次に、本実施の形態１に係る電気掃除機１００の作用について説明する。
【００２５】
まず、この電気掃除機１００は、二次電池１４に蓄電されている電気エネルギを電力として電動送風機１３を駆動するため、二次電池１４が、電動送風機１３を駆動し得る程度の電気エネルギを蓄電している間は、使用者が手元スイッチ５３を操作して、ＯＮに切り換えることによって、二次電池１４から電動送風機１３に電力が供給される。
【００２６】
電力が供給された電動送風機１３は負圧を発生し、この負圧が連続的に継続されることにより、吸込口体６０から空気と共に塵埃が吸引され、この吸引された塵埃は、集塵管５２および集塵ホース５１を通じて集塵容器１２内に捕集される。
【００２７】
そして、この電気掃除機１００による清掃作業を終了するときは、手元スイッチ５３をＯＦＦに切り換えることによって、二次電池１４から電動送風機１３への電力供給は遮断され、電動送風機１３の駆動は停止し、前述した塵埃の吸引動作は停止される。
【００２８】
このように、電気掃除機１００は、掃除機本体１０内部に備えられた二次電池１４によって駆動することができるため、商用電源から電力供給を受ける必要がない。
【００２９】
したがって、屋外等の、商用電源等の外部電源設備のない場所や商用電源等の外部電源設備から遠く離れている場所などでも、この電気掃除機１００を使用することができる。
【００３０】
しかも、電気掃除機１００を使用することによって二次電池１４の蓄積電力が低下してきた場合には、太陽電池２１が太陽光等の外光を受けて起電力を発生し、この発生した電力が、図２に示す第一充電回路２２によって、二次電池１４を充電するため、二次電池１４の充電の都度、電気掃除機１００を外部電源設備が設置されている場所まで運ぶ必要がない。
【００３１】
したがって、電気掃除機１００を外部電源設備の設置場所まで運ぶ手間がかからず、充電式の電気掃除機としての機動性を如何なく発揮させることができる。
【００３２】
なお、第一充電回路２２は、逆流防止用のダイオード２２ａが備えられており、太陽電池２１の出力側電位が、二次電池１４の電位よりも低い場合に、二次電池１４の蓄積電気エネルギが太陽電池２１によって消費されるのを防止することができる。
【００３３】
また、二次電池１４は、例えばこの二次電池１４の寿命や破損等のために容易に交換可能とするように、掃除機本体１０に対する着脱機構を備えたものであってもよい。
（変形例１）
図３は図１に示した実施形態１の変形例１に係る電気掃除機１００の全体を示す斜視図、図４は図３に示した電気掃除機の電気回路を示す回路図である。
【００３４】
この電気掃除機１００は、図１に示した電気掃除機１００に対して、商用電源２００に接続されてこの商用電源２００から供給される電力を二次電池１４に充電する第二充電回路３０と、商用電源２００から供給される電力を二次電池１４に充電する第二充電回路３０と、第一充電回路２２および第二充電回路３０のうち一方を、二次電池１４の充電回路として選択するように切り換える回路切換スイッチ３２とをさらに備えた構成である。
【００３５】
ここで、第二充電回路３０は、商用電源２００に接続される電源接続部３１ａと、電源接続部３１ａを介して商用電源２００から入力された交流を直流に変換する変換器および所定の充電電流に調整する安定器等からなる制御装置３１と、二次電池１４および太陽電池２１からの逆流を防止するダイオード３０ａとを備えている。
【００３６】
このように構成された電気掃除機１００によれば、上述した実施形態１に係る電気掃除機１００が奏する作用・効果に加えて、電源接続部３１ａを商用電源２００に接続するとともに、回路切換スイッチ３２を、第二充電回路３０を選択するように切り換えることにより、二次電池１４は第二充電回路３０に接続され、電源接続部３１ａを介して商用電源２００から供給された電力によって二次電池１４を充電することができる。
【００３７】
したがって、例えば、商用電源２００が設置されていない場所での使用を終了して、屋内等にこの電気掃除機１００を持ち帰り、商用電源２００に接続して十分な充電を行うこともできる。
【００３８】
一方、前述したように、商用電源２００が設置されていない屋外等においては、回路切換スイッチ３２を、第一充電回路２２を選択するように切り換えることによって、二次電池１４は第一充電回路２２に接続され、太陽電池２１から供給された電力によって二次電池１４を充電することができ、二次電池１４の充電の都度、電気掃除機１００を外部電源設備が設置されている場所まで運ぶ必要がない。
【００３９】
したがって、電気掃除機１００を外部電源設備の設置場所まで運ぶ手間がかからず、充電式の電気掃除機としての機動性を如何なく発揮させることができる。
【００４０】
なお、回路切換スイッチ３２は、上述したような手動の切換スイッチに限定されるものではなく、例えば、電源接続部３１ａが商用電源２００に接続された場合には、自動的に第二充電回路３０を選択するように切り換えるものであってもよい。
【００４１】
すなわち、例えば、回路切換スイッチ３２をリレー化したり、トランジスタ化等して、制御装置３１の出力の一部をそのリレーやトランジスタ等の回路切換スイッチ３２に接続すればよい。
【００４２】
そして、制御装置３１から入力が無い場合は回路切換スイッチ３２は、第一充電回路２２を選択する側に接続され、制御装置３１から所定の入力がある場合は回路切換スイッチ３２が、第二充電回路３０を選択する側に接続されるように、リレーやトランジスタ等を設定すればよい。
（変形例２）
図５に示した変形例２は、電源接続部４６ａを含めた第二充電回路４５を掃除機本体１０の内部に設けたものではなく、掃除機本体１０とは別体の充電台４０に設けた構成を示すものであり、充電台４０を含めて本発明に係る電気掃除機１００とした実施形態を示すものである。
【００４３】
すなわち、図示の充電台４０は、掃除機本体１０が起立して載置される載置台４９と、図４に示した第二充電回路４５とを備えている。
【００４４】
この第二充電回路４５は、前述した変形例１における第二充電回路３０と同一であり、商用電源２００に接続される電源接続部４６ａと、電源接続部４６ａを介して電源２００から入力された交流を直流に変換する変換器および所定の充電電流に調整する安定器等からなる制御装置４６と、掃除機本体１０に内蔵された二次電池１４および太陽電池２１からの逆流を防止するダイオード４５ａとを備えている。
【００４５】
また、回路切換スイッチ３２は掃除機本体１０の後面側に例えば機械的な機構として設けられて、載置台４９上に載置されていないときは、第一充電回路２２を選択する側に付勢され、載置台４９上に載置されたときは、回路切換スイッチ３２がその付勢力に抗して第二充電回路４５を選択するように、載置台４９上に形成された突起４１が回路切換スイッチ３２を切り換えるように構成されている。
【００４６】
なお、突起部４１には、掃除機本体１０の電気回路と電気的に接続される接点が設けられている。
【００４７】
このように構成された変形例２に係る電気掃除機１００によれば、掃除機本体１０を充電台４０に起立させて載置することにより、突起部４１が掃除機本体１０に設けられた図示しない回路切換スイッチ３２を、充電台４０に設けられた第二充電回路４５を選択するように切り換え、さらに、電源接続部４６ａを商用電源２００に接続することにより、二次電池１４は第二充電回路４５に接続され、電源接続部４６ａを介して商用電源２００から供給された電力によって二次電池１４を充電することができる。
【００４８】
したがって、例えば、商用電源２００が設置されていない場所での使用を終了して、充電台４０が設けられた屋内等にこの電気掃除機１００を持ち帰り、商用電源２００に接続して十分な充電を行うことができる。
【００４９】
一方、前述したように、商用電源２００が設置されていない屋外等において、充電台４０に載置されていないときは、回路切換スイッチ３２が、第一充電回路２２を選択するように切り換えるように付勢されているため、二次電池１４は第一充電回路２２に接続され、太陽電池２１から供給された電力によって二次電池１４を充電することができ、二次電池１４の充電の都度、電気掃除機１００を充電台４０の設置場所まで運ぶ必要がない。
【００５０】
したがって、電気掃除機１００を充電台４０の設置場所まで運ぶ手間がかからず、充電式の電気掃除機としての機動性を如何なく発揮させることができる。
【００５１】
なお、回路切換スイッチ３２は、上述したような機械的な作動によって充電回路の選択を切り換えるものに限定されず、充電台４０上に載置されたときは、リレーやトランジスタ等によって自動的に切換えを行うものとしてもよい。
【００５２】
また、変形例２に係る電気掃除機１００によれば、掃除機本体１０を充電台４０の載置台４９上に起立状態に載置したままで、収納することができる。
【００５３】
さらに、第二充電回路４５を、掃除機本体１０ではなく、充電台４０の側に設けたことにより、掃除機として使用される掃除機本体１０の重量を軽減することができ、使用時の重量軽減によって作業の軽減を図り、かつ掃除機本体１０を携行する際の負担軽減を図ることができる。
（変形例３）
図６および図７に示した変形例３は、変形例２に係る電気掃除機１００における掃除機本体１０の太陽電池２１、第一充電回路２２および回路切換スイッチ３２を、それぞれ太陽電池７１、第一充電回路７０および回路切換スイッチ８０として、充電台４０に移動した構成の実施形態に係る電気掃除機１００を示すものである。
【００５４】
なお、回路切換スイッチ８０は、機械的なスイッチであるが、この態様に限定されるものでないことは、変形例２の場合と同様である。
【００５５】
このように構成された変形例３に係る電気掃除機１００によれば、変形例２に係る電気掃除機１００と同様の作用・効果を発揮するとともに、変形例２に係る電気掃除機１００よりもさらに掃除機本体１０の重量は軽減され、使用時の重量軽減によって作業の一層の軽減を図り、かつ掃除機本体１０を携行する際の負担を一層軽減することができる。
【００５６】
なお、充電台４０に太陽電池７１が設けられているため、商用電源２００が設置されていない屋外等において、太陽電池７１を用いた第一充電回路７０による二次電池１４の充電を行うためには、電気掃除機１００を使用する場所に充電台４０を予め設置し、あるいは掃除機本体１０とともに携行する必要がある。
（実施形態２）
図８は、本発明の一実施形態に係る電気掃除機用吸込口体６０を示す斜視図である。
【００５７】
この吸込口体６０は、電気掃除機１００に用いられ、カバー６１の外表面には、太陽電池６５が配設されている。
【００５８】
また、このカバー６１の内部には、同図（ｂ）に示すように、電動ブラシと、この電動ブラシに電力を供給する二次電池６４と、太陽電池６５によって光電変換して得られた電気を二次電池６４に充電する充電回路６６とが備えられている。
【００５９】
電動ブラシは、カバー６１の幅方向に沿って配設され、床面の塵埃を掻き出すブラシが植毛された回転自在の回転ブラシ６２と、この回転ブラシ６２を回転させるモータ６３とから構成されている。
【００６０】
また、集塵管５２の、集塵ホース５１との連結側端部近くには、この吸込口体６０のモータ６３の駆動をＯＮ／ＯＦＦするブラシ駆動スイッチ５３ａが設けられている。
【００６１】
なお、二次電池６４は他の実施形態における二次電池１４と同様、蓄電機能を有するものであれば如何なる種類のものであってもよく、例えばニッケル水素電池やリチウムイオン電池等を適用することができる。
【００６２】
図９は、図８に示した吸込口体６０における二次電池６４、モータ６３、太陽電池６５、ブラシ駆動スイッチ５３ａおよび充電回路６６からなる電気回路を示す図である。
【００６３】
なお、図９において、太陽電池６５は充電回路６６に含まれるように示されているが、これは図示の簡単化のための便宜によるものにすぎず、充電回路６６自体には太陽電池６５を含まない。
【００６４】
次に、本実施の形態２に係る電気掃除機用吸込口体６０の作用について説明する。
【００６５】
まず、この吸込口体６０は、二次電池６４に蓄電されている電気エネルギを電力としてモータ６３を駆動するため、二次電池６４が、モータ６３を駆動し得る程度の電気エネルギを蓄電している間は、使用者がブラシ駆動スイッチ５３ａを操作して、ＯＮに切り換えることによって、二次電池６４からモータ６３に電力が供給される。
【００６６】
電力が供給されたモータ６３は回転し、この回転は、モータ６３に接続された回転ブラシ６２を回転させる。
【００６７】
そして、回転ブラシ６２が回転することによって、床面に付着した塵埃等が回転ブラシ６２により掃き出されて、床面から浮き上がる。
【００６８】
このとき、掃除機本体１０の電源がＯＮになって吸引力が発生しているときは、掃き出された塵埃は、吸込口体６０から集塵管５２および集塵ホース５１を通じて掃除機本体１０内に吸引されて集塵される。
【００６９】
このように、本実施形態の吸込口体６０は、吸込口体６０内部に備えられた二次電池６４によって駆動することができるため、掃除機本体１０から電力を供給する必要がなく、したがって、集塵管５２および集塵ホース５１の全長に亘って電力線を配索する必要がない。
【００７０】
さらに、吸込口体６０の内部にリレー等を設けて、このリレー等の作動ＯＮ／ＯＦＦにより、モータ６３への電力供給ＯＮ／ＯＦＦを切り換えるように構成すれば、吸込口体６０からブラシ駆動スイッチ５３ａまでの配線を、電力線ではなく、リレー等を作動させるための信号線として配索することができる。
【００７１】
そして、信号線は、電力線に対して微弱な電流を流せば足りるため、線径を細くすることができ、また安全性を高めることができる。
【００７２】
また、掃除機本体１０も、二次電池を用いた充電式のものである場合、例えば上述した本発明の実施形態１に係る電気掃除機を構成する掃除機本体１０である場合は、屋外等の外部電源設備のない場所や商用電源等の外部電源設備から遠く離れている場所などでも、この電気掃除機１００を使用し、かつ吸込口体６０の回転ブラシを回転させることができる。
【００７３】
しかも、モータ６３を駆動することによって二次電池６４の蓄積電力が低下してきた場合には、太陽電池６５が太陽光等の外光を受けて起電力を発生し、この発生した電力が、図９に示す充電回路６６によって、二次電池６４を充電するため、二次電池６４の充電の都度、この吸込口体６０全体あるいは二次電池６４を取り外して外部電源設備が設置されている場所まで運ぶ必要がない。
【００７４】
したがって、吸込口体６０全体あるいは二次電池６４を外部電源設備の設置場所まで運ぶ手間や二次電池６４を着脱する手間がかからず、充電式の電気掃除機１００全体として、機動性を如何なく発揮させることができる。
【００７５】
【発明の効果】
本発明に係る電気掃除機によれば、備えられた太陽電池に太陽光等の光が照射されることによって、太陽電池が光エネルギを電気エネルギに変換し、この変換して得られた電気エネルギが、第一充電回路の充電作用により、二次電池を充電する。
【００７６】
したがって、商用電源が設置されていない場所や商用電源から離れている場所でこの電気掃除機を使用している場合等であって、二次電池が放電した場合にも、太陽光等の光の照射を受ける場所であれば、上記太陽電池と第一充電回路との作用により二次電池は充電されるため、再度電気掃除機を駆動させることができ、放電の都度、商用電源の設置場所まで掃除機本体等を運ぶ必要がない。
【００７７】
したがって、そのような運ぶ手間がかからず、充電式の電気掃除機としての機動性を如何なく発揮させることができる。
【００７８】
また本発明に係る電気掃除機用吸込口体によれば、備えられた太陽電池に太陽光等の光が照射されることによって、太陽電池が光エネルギを電気エネルギに変換し、この変換して得られた電気エネルギが、充電回路の充電作用により、この吸込口体に備えられた電動ブラシ駆動用の二次電池を充電する。
【００７９】
したがって、商用電源が設置されていない場所や商用電源から離れている場所で電気掃除機に接続されて使用している場合等であって、二次電池が放電した場合にも、太陽光等の光の照射を受ける場所であれば、上記太陽電池と充電回路との作用により二次電池は充電されるため、再度電動ブラシを駆動させることができ、放電の都度、商用電源の設置場所まで電気掃除機ごとあるいは吸込口体の二次電池を運ぶ必要がない。
【００８０】
したがって、そのような運ぶ手間や二次電池を着脱する手間がかからず、充電式の電気掃除機用吸込口体としての機動性を如何なく発揮させることができる。
【図面の簡単な説明】
【図１】本発明に係る電気掃除機の一実施形態を示す斜視図である。
【図２】図１に示した電気掃除機における充電系を示す電気回路図である。
【図３】第二充電回路を掃除機本体に備えた変形例１を示す斜視図である。
【図４】図３および図５に示した電気掃除機における充電系を示す電気回路図である。
【図５】第二充電回路等を充電台として掃除機本体１０から分離させた変形例２に係る電気掃除機を示す図である。
【図６】第一充電回路および太陽電池等を掃除機本体１０から分離させた変形例２に係る電気掃除機を示す図である。
【図７】図３および図５に示した電気掃除機における充電系を示す電気回路図である。
【図８】本発明に係る電気掃除機用吸込口体の一実施形態を示す斜視図である。
【図９】図８に示した電気掃除機用吸込口体における充電系を示す電気回路図である。
【符号の説明】
１０　掃除機本体
１１　本体ケース
１２　集塵容器
１３　電動送風機
１４，６４　二次電池
２１，６５，７１　太陽電池
２２，７０　第一充電回路
２２ａ，３０ａ，４５ａ，６６ａ，７０ａ　ダイオード
３０，４５　第二充電回路
３１，４６　制御装置
３１ａ，４６ａ　電源接続部
３２，８０　回路切換スイッチ
４０　充電台
４１　突起部
４９　載置台
５１　集塵ホース
５２　集塵管
５３　手元スイッチ
５３ａ　ブラシ駆動スイッチ
６０　吸込口体
６１　カバー
６２　回転ブラシ
６３　モータ
６６　充電回路
１００　電気掃除機
２００　商用電源
【図１】
2004081552.tif 000003
【図２】
2004081552.tif 000004
【図３】
2004081552.tif 000005
【図４】
2004081552.tif 000006
【図５】
2004081552.tif 000007
【図６】
2004081552.tif 000008
【図７】
2004081552.tif 000009
【図８】
2004081552.tif 000010
【図９】
2004081552.tif 000011